【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【特許請求の範囲】
【請求項１】  （ａ）空気入口と、空気出口と、ハウジングをフィルタチャンバと清浄空気チャンバとに分離し、その内部に第１の空気流アパーチャを含むスペーサ壁と、を含むハウジングと、
（ｂ）空気流を介して前記スペーサ壁の前記第１の空気流アパーチャに連絡するよう位置決めされ、フィルタ構造内部清浄空気チャンバを画定するひだ付きフィルタ媒体複合体の延長部を含む、第１のフィルタ構造と、
（ｉ）前記第１のフィルタ構造が、空気流を介して前記スペーサ壁の第１の空気流アパーチャに連絡するように、前記フィルタ内部清浄空気チャンバと共に位置が定められ、
（ｉｉ）前記ひだ付きフィルタ媒体複合体がファインファイバ層で少なくとも部分的に覆われた基体を含み、
（Ａ）前記ファイバは、１６時間の試験時間中１４０°Ｆの空気および相対湿度１００％の試験条件に曝露された後に前記ファイバの３０％よりも多い量をフィルタ目的のために変化しない状態で保持しているような、約０．０１〜０．５ミクロンの直径を含み、
（ｃ）前記フィルタ構造内部清浄空気チャンバに空気のパルスを向けるよう配置されたパルスジェット・クリーニングシステムと、
を含むことを特徴とするエアフィルタ・アセンブリ。
【請求項２】  前記ファインファイバがポリマーを含むことを特徴とする請求項１に記載のエアフィルタ・アセンブリ。
【請求項３】  前記ポリマーが縮合ポリマーを含むことを特徴とする請求項２に記載のエアフィルタ・アセンブリ。
【請求項４】  前記ポリマーが付加ポリマーを含むことを特徴とする請求項２に記載のエアフィルタ・アセンブリ。
【請求項５】  前記付加ポリマーがポリハロゲン化ビニルポリマーを含むことを特徴とする請求項４に記載のエアフィルタ・アセンブリ。
【請求項６】  前記付加ポリマーがポリハロゲン化ビニリデンポリマーを含むことを特徴とする請求項４に記載のエアフィルタ・アセンブリ。
【請求項７】  前記ポリハロゲン化ビニリデンがポリ塩化ビニリデンを含むことを特徴とする請求項６に記載のエアフィルタ・アセンブリ。
【請求項８】  前記ポリハロゲン化ビニリデンがポリフッ化ビニリデンを含むことを特徴とする請求項６に記載のエアフィルタ・アセンブリ。
【請求項９】  前記ポリマーがポリビニルアルコールを含むことを特徴とする請求項４に記載のエアフィルタ・アセンブリ。
【請求項１０】  前記ポリビニルアルコールが、約１〜４０重量％の架橋剤で架橋されていることを特徴とする請求項９に記載のエアフィルタ・アセンブリ。
【請求項１１】  前記架橋されたポリビニルアルコールが、分子量が約１０００〜３０００のポリアクリル酸を使用して架橋されていることを特徴とする請求項１０に記載のエアフィルタ・アセンブリ。
【請求項１２】  前記架橋されたポリビニルアルコールが、分子量が約１０００〜３０００のメラミンホルムアルデヒド樹脂を使用して架橋されていることを特徴とする請求項１０に記載のエアフィルタ・アセンブリ。
【請求項１３】  環状ラクタムと、Ｃ６〜１０ジアミンモノマーまたはＣ６〜１０二酸モノマーとから形成されたコポリマー以外の縮合ポリマーと、分子量が約５００〜３０００で芳香族の特性を有するオリゴマーを含み、前記縮合ポリマーに対して混和性である樹脂状添加剤とを含むことを特徴とする請求項３に記載のエアフィルタ・アセンブリ。
【請求項１４】  前記ポリマーが、環状ラクタムと、Ｃ６〜１０ジアミンモノマーまたはＣ６〜１０二酸モノマーとから形成されたコポリマー以外の縮合ポリマーと、分子量が約５００〜３０００でアルキルフェノール芳香族の特性を有するオリゴマーを含み、前記縮合ポリマーに対して混和性である樹脂状添加剤とを含むことを特徴とする請求項３に記載のエアフィルタ・アセンブリ。
【請求項１５】  前記ポリマーが溶液の一成分であり、前記溶液が、その大部分を占める割合の水性アルコール溶媒と、３〜３０重量％のポリマー組成物とを含むことを特徴とする請求項１４に記載のエアフィルタ・アセンブリ。
【請求項１６】  前記縮合ポリマーがポリアルキレンテレフタレートを含むことを特徴とする請求項１４に記載のエアフィルタ・アセンブリ。
【請求項１７】  前記縮合ポリマーがポリアルキレンナフタレートを含むことを特徴とする請求項１６に記載のエアフィルタ・アセンブリ。
【請求項１８】  前記縮合ポリマーがポリエチレンテレフタレートを含むことを特徴とすることを特徴とする請求項１６に記載のエアフィルタ・アセンブリ。
【請求項１９】  前記縮合ポリマーが、環状ラクタムから誘導された反復単位を有するホモポリマーを含んだナイロン・ポリマーを含むことを特徴とする請求項１４に記載のエアフィルタ・アセンブリ。
【請求項２０】  前記ナイロンコポリマーが、分子量またはモノマー組成の異なる第２のナイロン・ポリマーに結合されていることを特徴とする請求項１４に記載のエアフィルタ・アセンブリ。
【請求項２１】  前記ナイロンコポリマーが、アルコキシアルキル変性ポリアミドを含む第２のナイロン・ポリマーに結合されていることを特徴とする請求項１４に記載のエアフィルタ・アセンブリ。
【請求項２２】  前記第２のナイロン・ポリマーがナイロンコポリマーを含むことを特徴とする請求項２０に記載のエアフィルタ・アセンブリ。
【請求項２３】  前記ポリマーが、示差走査熱量計によって測定した場合に単相物質であることを示す単一のポリマー組成物を形成するように処理されることを特徴とする請求項２０に記載のエアフィルタ・アセンブリ。
【請求項２４】  前記コポリマーおよび前記第２のポリマーが熱処理されることを特徴とする請求項２３に記載のエアフィルタ・アセンブリ。
【請求項２５】  前記コポリマーおよび前記第２のポリマーが、これらポリマーの低いほうの融点未満の温度まで熱処理されることを特徴とする請求項２４に記載のエアフィルタ・アセンブリ。
【請求項２６】  前記添加剤が、第３級ブチルフェノールを含んだオリゴマーを含むことを特徴とすることを特徴とする請求項１４に記載のエアフィルタ・アセンブリ。
【請求項２７】  前記添加剤が、
【化１】
2004508167.tif 000001
を含んだオリゴマーを含むことを特徴とすることを特徴とする請求項２６に記載のエアフィルタ・アセンブリ。
【請求項２８】  前記樹脂が、ビスフェノールＡを含んだオリゴマーを含むことを特徴とする請求項１４に記載のエアフィルタ・アセンブリ。
【請求項２９】  前記添加剤が、
【化２】
2004508167.tif 000002
を含んだオリゴマーを含むことを特徴とする請求項２８に記載のエアフィルタ・アセンブリ。
【請求項３０】  前記樹脂が、ジヒドロキシビフェニルを含んだオリゴマーを含むことを特徴とする請求項１４に記載のエアフィルタ・アセンブリ。
【請求項３１】  前記添加剤が、
【化３】
2004508167.tif 000003
を含んだオリゴマーを含むことを特徴とする請求項３０に記載のエアフィルタ・アセンブリ。
【請求項３２】  前記添加剤が、樹脂状添加剤とフルオロポリマーのブレンドとを含むことを特徴とする請求項１４に記載のエアフィルタ・アセンブリ。
【請求項３３】  前記添加剤がフルオロカーボン界面活性剤を含むことを特徴とする請求項１４に記載のエアフィルタ・アセンブリ。
【請求項３４】  前記添加剤が非イオン性界面活性剤を含むことを特徴とする請求項１４に記載のエアフィルタ・アセンブリ。
【請求項３５】  前記縮合ポリマーがポリウレタンポリマーを含むことを特徴とする請求項１４に記載のエアフィルタ・アセンブリ。
【請求項３６】  前記縮合ポリマーが、ポリウレタンポリマーとポリアミドポリマーとのブレンドを含むことを特徴とする請求項１０に記載のエアフィルタ・アセンブリ。
【請求項３７】  前記ポリアミドポリマーがナイロンを含むことを特徴とする請求項３６に記載のエアフィルタ・アセンブリ。
【請求項３８】  前記ナイロンが、ナイロンホモポリマー、ナイロンコポリマー、またはこれらの混合物を含むことを特徴とする請求項３７に記載のエアフィルタ・アセンブリ。
【請求項３９】  前記縮合ポリマーが芳香族ポリアミドを含むことを特徴とする、請求項１４に記載のエアフィルタ・アセンブリ。
【請求項４０】  前記縮合ポリマーが、ジアミンモノマーとポリ（ｍ−フェニレンイソフタルアミド）との反応生成物を含むことを特徴とする請求項１４に記載のエアフィルタ・アセンブリ。
【請求項４１】  前記ポリアミドが、ジアミンとポリ（ｐ−フェニレンテレフタルアミド）との反応生成物を含むことを特徴とする請求項３６に記載のエアフィルタ・アセンブリ。
【請求項４２】  前記縮合ポリマーがポリベンズイミダゾールを含むことを特徴とする請求項１４に記載のエアフィルタ・アセンブリ。
【請求項４３】  前記縮合ポリマーがポリアリーレートを含むことを特徴とする請求項１４に記載のエアフィルタ・アセンブリ。
【請求項４４】  前記ポリアリーレートのポリマーが、ビスフェノールＡと混合フタル酸との縮合重合反応生成物を含むことを特徴とする請求項４３に記載のエアフィルタ・アセンブリ。
【請求項４５】  （ａ）前記スペーサ壁の第１の空気流アパーチャに取り付けられ、前記第１のフィルタ構造内部清浄空気チャンバ内に突出するよう位置決めされた、第１のベンチュリエレメントをさらに含み、
（ｉ）前記パルスジェット・クリーニングシステムが、前記清浄空気チャンバから前記第１のフィルタ構造に向けて、空気パルスを前記第１のベンチュリエレメントに向けるよう配置された第１のブロー・パイプを含んでいることを特徴とする請求項１に記載のエアフィルタ・アセンブリ。
【請求項４６】  （ａ）前記第１のフィルタ構造が、中心アパーチャを有する第１のエンド・キャップを含み、前記フィルタ媒体の延長部が前記第１のエンド・キャップ内に埋め込まれていることを特徴とする請求項１に記載のエアフィルタ・アセンブリ。
【請求項４７】  （ａ）前記第１のフィルタ構造が、軸方向に位置合わせされた第１および第２のフィルタエレメントを含み、
（ｉ）ひだ付きフィルタ媒体複合体の前記延長部が、前記第１のフィルタエレメント内に媒体の第１の延長部と、前記第２のフィルタエレメント内に媒体の第２の延長部とを含むことを特徴とする請求項１に記載のエアフィルタ・アセンブリ。
【請求項４８】  （ａ）前記スペーサ壁が、その内部に第２の空気流アパーチャを含み、
前記アセンブリが、
（ｉ）空気流を介して前記スペーサ壁の前記第２の空気流アパーチャに連絡するよう位置決めされた第２のフィルタ構造をさらに含み、
前記第２のフィルタ構造が第２のフィルタ構造内部清浄空気チャンバを画定するひだ付きフィルタ媒体複合体の延長部を含み、
（Ａ）前記第２のフィルタ構造が、空気流を介して前記スペーサ壁の第２の空気流アパーチャに連絡するよう前記第２のフィルタ内部清浄空気チャンバと共に位置が定められ、
（Ｂ）前記第２のフィルタ構造の前記ひだ付きフィルタ媒体複合体が、ファインファイバ層で少なくとも部分的に覆われた基体を含むことを特徴とする請求項１に記載のエアフィルタ・アセンブリ。
【請求項４９】  （ａ）前記スペーサ壁が、その内部に第２の空気流アパーチャを含み、
前記アセンブリが更に、
（ｉ）空気流を介して前記スペーサ壁の前記第２の空気流アパーチャに連絡するよう位置決めされた第２のフィルタ構造と、
前記第２のフィルタ構造は、第２のフィルタ構造内部清浄空気チャンバを画定するひだ付きフィルタ媒体複合体の延長部を含み、
（Ａ）前記第２のフィルタ構造が、空気流を介して前記スペーサ壁の第２の空気流アパーチャに連絡するよう前記第２のフィルタ内部清浄空気チャンバと共に位置が定められ、
（Ｂ）前記第２のフィルタ構造の前記ひだ付きフィルタ媒体複合体が、ファインファイバ層で少なくとも部分的に覆われた基体を含み、
（ｉｉ）前記スペーサ壁の第２の空気流アパーチャ内に取り付けられ、前記第２のフィルタ構造内部清浄空気チャンバ内に突出するよう位置決めされた、第２のベンチュリエレメントと、
（ｉｉｉ）前記清浄空気チャンバから前記第２のフィルタ構造に向けて、空気パルスを前記第２のベンチュリエレメントに向けるよう配置された第２のブロー・パイプと、
を含むことを特徴とする請求項１に記載のエアフィルタ・アセンブリ。
【請求項５０】  温度が少なくとも１４０°Ｆの空気を濾過するための方法であって、
（ａ）空気をハウジングの入口に通してフィルタチャンバに向ける工程と、
前記ハウジングが、前記フィルタチャンバを清浄空気チャンバから分離し、その内部に第１の空気流アパーチャを含むスペーサ壁を含み、
（ｂ）前記空気を前記フィルタチャンバに向けた後、前記空気を第１のフィルタ構造のひだ付きフィルタ媒体複合体の延長部に通してフィルタ構造内部清浄空気チャンバに向ける工程と、
前記第１のフィルタ構造が、空気流を介して前記スペーサ壁の第１の空気流アパーチャに連絡するよう位置決めされ、前記ひだ付きフィルタ媒体複合体の延長部がフィルタ構造内部清浄空気チャンバを画定し、
（ｉ）前記第１のフィルタ構造が、空気流を介して前記スペーサ壁の第１の空気流アパーチャに連絡するよう前記フィルタ内部清浄空気チャンバと共に位置が定められ、
（ｉｉ）前記媒体複合体は、層で少なくとも部分的に覆われた基体を含み、前記層が、１６時間の試験時間中１４０°Ｆの空気および相対湿度１００％の試験条件に曝露された後にファイバの３０％よりも多い量フィルタ目的のために変化しない状態で保持しているような、約０．１〜０．５ミクロンの直径を有するファイバを含むファインファイバを含み、
（ｃ）前記空気を第１のフィルタ構造のひだ付きフィルタ媒体複合体の延長部に通してフィルタ構造内部清浄空気チャンバに向けた後で、前記空気を前記清浄空気チャンバに向けて前記ハウジングから出す工程と、
を含むことを特徴とする方法。
【請求項５１】  前記ひだ付きフィルタ媒体複合体に収集された微粒子を少なくとも部分的に除去するため空気のパルスを前記フィルタ構造内部清浄空気チャンバに向ける工程をさらに含むことを特徴とする請求項５０に記載の方法。
【請求項５２】  前記ひだ付きフィルタ媒体複合体に収集された微粒子を少なくとも部分的に除去するため空気のパルスを前記フィルタ構造内部清浄空気チャンバに向ける前記工程は、前記第１のフィルタ構造内部清浄空気チャンバ内に突出するよう取り付けられたベンチュリエレメントに空気のパルスを向ける工程を含むことを特徴とする請求項５１に記載の方法。
【請求項５３】  前記ハウジングのスペーサ壁が、複数のフィルタ構造のひだ付きフィルタ媒体複合体の複数の延長部を含み、前記ひだ付きフィルタ媒体複合体の延長部のそれぞれが、それぞれフィルタ構造内部清浄空気チャンバを画定することを特徴とする請求項５０に記載の方法。
【請求項５４】  前記ひだ付きフィルタ媒体複合体のそれぞれに収集された微粒子を少なくとも部分的に除去するために、空気のパルスを前記フィルタ構造内部清浄空気チャンバのそれぞれに向ける工程をさらに含むことを特徴とする請求項５０に記載の方法。
【請求項５５】  前記ひだ付きフィルタ媒体複合体のそれぞれに収集された微粒子を少なくとも部分的に除去するために、空気のパルスを前記フィルタ構造内部清浄空気チャンバのそれぞれに向ける前記工程が、それぞれのフィルタ構造内部清浄空気チャンバ内に突出するようそれぞれ取り付けられた複数のベンチュリエレメントに空気のパルスを向ける工程を含むことを特徴とする請求項５１に記載の方法。
【請求項５６】  前記ひだ付きフィルタ媒体複合体に収集された微粒子を少なくとも部分的に除去するために前記媒体を振動させる工程をさらに含むことを特徴とする請求項５１に記載の方法。